(57)【要約】【課題】カメラモジュールに駆動機構を容易に実装する。【解決手段】本発明に係るカメラモジュール１は、ホルダ４内部において、アクチュエータ４用接続端子５が回路基板６の接続部８に押圧接触することによって、接続端子５と回路基板６とが電気的に接続されている。これにより、接続端子５と回路基板６との接続が容易になり、アクチュエータ４のカメラモジュール１への実装が容易になる。【選択図】図１
2009008865.tif 000002
【特許請求の範囲】
【請求項１】
レンズと、前記レンズを駆動することによって焦点を調整する駆動手段とを、保持手段内部に備えたカメラモジュールであって、
前記駆動手段には、前記保持手段内部において前記駆動手段と基板とを電気的に接続する接続手段が取り付けられており、
当該接続手段は前記基板に押圧接触していることを特徴とするカメラモジュール。
【請求項２】
前記接続手段は、前記基板を押圧する方向に弾性力を生じさせる弾性構造部を含んでいることを特徴とする請求項１に記載のカメラモジュール。
【請求項３】
前記弾性構造部は、波形状であることを特徴とする請求項２に記載のカメラモジュール。
【請求項４】
前記弾性構造部は、屈曲形状であることを特徴とする請求項２に記載のカメラモジュール。
【請求項５】
前記接続手段と前記基板との間に導電部材をさらに備えていることを特徴とする請求項１に記載のカメラモジュール。
【請求項６】
前記導電部材は、前記接続手段が前記基板を押圧する方向に導電異方性を有していることを特徴とする請求項５に記載のカメラモジュール。
【請求項７】
前記保持手段は、前記接続手段の変形を防止する変形防止部を有することを特徴とする請求項１に記載のカメラモジュール。
【請求項８】
前記接続手段は、前記接続手段が前記基板から離れる方向に移動するのを抑制する移動抑制部を含んでおり、当該移動抑制部の位置に対応する前記保持手段は、当該移動抑制部を嵌合するように形成されていることを特徴とする請求項１に記載のカメラモジュール。
【請求項９】
前記保持手段と前記基板とを嵌合する嵌合手段をさらに備えていることを特徴とする請求項１に記載のカメラモジュール。
【請求項１０】
請求項１〜９のいずれか１項に記載のカメラモジュールを搭載していることを特徴とする携帯端末。
【発明の詳細な説明】
【技術分野】
【０００１】
本発明は、カメラモジュール、およびこれを備えた携帯端末に関するものであり、具体的には、フォーカス機構またはズーム機構のように、レンズを駆動することによって焦点を調整する機構を備えたレンズ一体型のカメラモジュールおよびこれを備えた携帯端末に関するものである。
【背景技術】
【０００２】
フォーカス機構またはズーム機構を備えたカメラモジュールは、フォーカシングまたはズーミングのためにレンズを駆動するアクチュエータを備えている。このようなカメラモジュールでは、光学レンズ群の信号を入出力する端子は、カメラモジュール内において回路基板に接続され、回路基板の裏面からカメラモジュールの外部に対して信号の送受信を行う。
【０００３】
一方、レンズを駆動するアクチュエータの信号を入出力する端子は、回路基板を介さずにカメラモジュールの外部に引き出され、カメラモジュールの外部において信号の送受信を行う。
【０００４】
このようなカメラモジュールの従来例の分解図を、図１３を参照して以下に示す。図１３は、オートフォーカス機構を備えたカメラモジュールの従来例を示す図である。図１３に示すように、カメラモジュール１００は、レンズ１０１、アクチュエータ１０２、ホルダ１０３、接続端子１０４、および回路基板１０５を備えている。回路基板１０５には、ＣＣＤ、ＣＭＯＳセンサ等のイメージセンサ１０６が、ダイボンドおよびワイヤボンドされている。
【０００５】
アクチュエータ１０２は、レンズ１０１が集光した光が、回路基板１０５上のイメージセンサ７０において像を結ぶようにレンズ１０１の位置を調整し、焦点をあわせる。イメージセンサ７０において結ばれた像は画像信号に変換され、画像信号は回路基板の裏面から外部に出力される。ホルダ１０３は、レンズ１０１およびアクチュエータ１０２を保持しており、回路基板１０５に接着されている。
【０００６】
アクチュエータ１０２には、アクチュエータ信号を入出力するための接続端子１０４が取り付けられている。回路基板１０５は、ホルダ１０３に接着されたときに接続端子１０４に対応する位置に切り欠き部１０７を備えており、アクチュエータ１０２に取り付けられた接続端子１０４は、切り欠き部１０７から外部に引き出されている。
【０００７】
ここで、カメラモジュール１００における信号入出力用端子の配置について説明する。回路基板１０５の裏面には、画像信号、クロック信号、同期信号等の入出力信号のための端子が配置されている。これらの信号は回路基板１０５を介してカメラモジュールの内部と外部との間で送受信される。一方、アクチュエータ信号を送受信する接続端子１０４は、回路基板１０５の切り欠き部１０７を介して外部に引き出されており、引き出された接続端子１０４が外部の端子と接続されており、回路基板１０５には接続されていない。なお、ズーム機構を有したカメラモジュールの端子の配置も同様である。
【０００８】
また、アクチュエータ端子の他の配置態様が、特許文献１および２に記載されている。特許文献１には、アクチュエータ用接続端子をモジュール外部に引き出し、回路基板と電気的に接続されたソケットピンに引き出した接続端子を取り付ける構成が開示されている。特許文献２には、アクチュエータ端子にフレキシブルプリント基板（ＦＰＣ）、ケーブル等をはんだ付けし、これらを介してアクチュエータ端子と回路基板とを接続している。
【特許文献１】特開２００６−１３４６９６号公報（２００６年５月２５日公開）
【特許文献２】特開２００５−１９５６８６号公報（２００５年７月２１日公開）
【発明の開示】
【発明が解決しようとする課題】
【０００９】
図１３に示す従来のカメラモジュール１００においては、アクチュエータ用接続端子１０４を外部に引き出すために、回路基板１０５に切り欠き部１０６を形成する必要がある。このため、オートフォーカス機構等を有さないカメラモジュールにおいて用いられる矩形の回路基板よりも製造が複雑であり、かつ製造コストも高くなる。
【００１０】
また、この接続端子１０４は、カメラモジュール１００内の他の信号用端子と、形状が異なるため、外部接続コネクタを別設計する必要がある。コネクタを別設計することによって、製造が困難になり、かつ製造コストが高くなる。コネクタを用いずに接続端子を回路基板に接続する場合、はんだ付け等により接続することも可能であるが、カメラモジュールの実装を人手で行うことになるため製造コストが高くなり、製造効率も低下する。
【００１１】
さらに特許文献１に記載の構成では、ソケットピンを用いてアクチュエータ用接続端子を回路基板に接続しているが、ソケットピンの使用により実装面積が大きくなってしまう。また、接続端子をカメラモジュールの外部に引き出すため、これを搭載する装置の小型化に対応できない。加えて、他の端子用の外部接続コネクタとソケットピンとでは形状が異なるため、別設計で製造することになり、製造コストが高くなる。
【００１２】
また、特許文献２に記載の構成では、ＦＰＣ等を介して、アクチュエータ用接続端子と回路基板とを電気的に接続しているが、ＦＰＣを接続端子にはんだ付けすることによって製造効率が低下し、かつ製造コストも高くなる。加えて、接続端子にはんだ付けされたＦＰＣを外部接続用コネクタに接続する工程も必要になるため、さらに製造コストが高くなる。さらに、ＦＰＣを用いたことによって実装スペースが余分に必要になり、搭載する装置が限定されてしまう。
【００１３】
本発明は、上記の問題点に鑑みてなされたものであり、アクチュエータ用の接続端子と回路基板との接続を容易にすることによって、アクチュエータをカメラモジュールに容易に実装することを目的としている。
【課題を解決するための手段】
【００１４】
本発明に係るカメラモジュールは、上記課題を解決するために、レンズと、前記レンズを駆動することによって焦点を調整する駆動手段とを、保持手段内部に備え、上記駆動手段には、上記保持手段内部において上記駆動手段と基板とを電気的に接続する接続手段が取り付けられており、当該接続手段は上記基板に押圧接触していることを特徴としている。
【００１５】
上記の構成によれば、レンズを駆動する駆動手段に取り付けられた接続手段によって、保持手段内部の駆動手段と基板とを、保持手段内部において電気的に接続する。このとき、接続手段は基板に押圧接触している。これにより、駆動手段と基板とを保持手段内部において容易に接続することが可能であり、フォーカス機構またはズーム機構のように、レンズを駆動することによって焦点を調整する機構を容易にカメラモジュールに実装することができる。また、カメラモジュールの小型化を実現できる。
【００１６】
また、基板上にはカメラモジュールの他の接続部も存在しており、これらの接続部と、接続手段を接続する接続部とを同型とすることによって接続が容易になり、製造および実装コストを削減することができる。
【００１７】
また、本発明に係るカメラモジュールにおいて、上記接続手段は、上記基板を押圧する方向に弾性力を生じさせる弾性構造部を含んでいることが好ましい。上記の構成によれば、接続手段は、基板に押圧接触するための押圧力を生じさせる弾性構造部を含んでいる。
【００１８】
ここで接続手段は、接続手段と基板とが確実に電気的に接続し得るように基板を押圧している。すなわち、接続手段が基板に対して電気的な接続を維持し得るのに適当な大きさの圧力において、接続手段は基板を押圧している。そして、弾性構造部は、接続手段が基板を押圧する方向に弾性力を生じさせることによって、接続手段を基板に対して押圧接触させる。これにより、接続手段と基板との接続を容易に実現することが可能である。
【００１９】
また、本発明に係るカメラモジュールにおいて、上記弾性構造部は、波形状または屈曲形状であることが好ましい。上記接続手段の有する上記弾性構造部が、波形状または屈曲形状であることによって、接続手段が基板を押圧する方向に弾性力を生じさせることが可能である。これにより、接続手段と基板との接続を容易に実現することが可能である。
【００２０】
さらに、本発明に係るカメラモジュールは、上記接続手段と上記基板との間に導電部材をさらに備えていることが好ましい。上記の構成によれば、接続手段と基板との間に導電部材を備えているため、接続手段と基板とは導電部材を介して電気的に接続している。これにより、接続手段と基板との電気的な接続を保証することができる。
【００２１】
また、本発明に係るカメラモジュールにおいて、上記導電部材は、前記接続手段が前記基板を押圧する方向に導電異方性を有していることが好ましい。上記の構成によれば、接続手段が導電部材を介して基板を押圧したとき、導電部材は、接続手段によって押圧されている部分においてのみ導電性を示す。すなわち、導電部材は、接続手段が基板を押圧する方向にのみ導電性を示している。これにより、接続手段と基板との電気的な接続を保証し、カメラモジュール内の他の接続手段と誤って接続されてしまうのを防ぐことができる。
【００２２】
導電異方性を有する導電部材として、異方性導電フィルム（ＡＣＦ）、異方性導電ペースト（ＡＣＰ）等を好適に使用することができる。
【００２３】
さらに、本発明に係るカメラモジュールにおいて、前記保持手段は、前記接続手段の変形を防止する変形防止部を有することが好ましい。これにより、外力が加わることによって、接続手段が不必要に変形するのを防ぐことができる。
【００２４】
さらにまた、本発明に係るカメラモジュールにおいて、上記接続手段は、上記接続手段が上記基板から離れる方向に移動するのを抑制する移動抑制部を含んでおり、当該移動抑制部の位置に対応する上記保持手段は、当該移動抑制部を嵌合するように形成されていることが好ましい。上記の構成によれば、接続手段に移動抑制部を設け、上記保持手段は、この接続手段を保持手段に固定したときに移動抑制部に対応する位置に、移動抑制部を嵌合することができるように形成されている。
【００２５】
例えば移動抑制部を、傾斜構造を有するテーパ状に形成し、保持手段を同様のテーパ状に形成する。そして、移動抑制部を保持手段に嵌め込むことによって、接続手段を固定する。これにより、外力によって接続手段が保持手段内部において移動するのを抑制することができる。
【００２６】
また、本発明に係るカメラモジュールは、さらに上記保持手段と上記基板とを嵌合する嵌合手段を備えていることが好ましい。これにより保持手段と基板とを容易に嵌合することが可能である。
【００２７】
本発明に係る携帯端末は、上述したカメラモジュールを搭載していることを特徴としている。上述した各構成によって容易に小型なカメラモジュールを容易に作成することが可能であるため、これを搭載する携帯端末も容易に小型化することが可能である。このような小型のカメラモジュールを搭載する携帯端末として、携帯電話、ラップトップコンピュータ等が挙げられる。
【発明の効果】
【００２８】
本発明に係るカメラモジュールは、以上のように、保持手段内部において駆動手段と基板とを接続する接続手段を備え、この接続手段は基板に押圧接触していることによって、駆動手段をカメラモジュールに実装するときの基板と駆動手段との接続を容易にするという効果を奏する。
【発明を実施するための最良の形態】
【００２９】
〔第１の実施形態〕
本発明の一実施形態について、図１〜図４を参照して以下に説明する。まず、本発明に係るカメラモジュール１について図１を参照して以下に説明する。図１は、本発明に係るカメラモジュール１を示す分解斜視図である。図１に示すように、カメラモジュール１は、レンズ２、アクチュエータ（駆動手段）３、ホルダ（保持手段）４、アクチュエータ用接続端子（接続手段）５、を備えており、ホルダ４に回路基板６が接着している。
【００３０】
また、回路基板（基板）６にはイメージセンサ７が取り付けられている。イメージセンサ７は、ＣＣＤ、ＣＭＯＳ等であり、イメージセンサ７上に結像した像を光電変換するものである。図１においては、説明の便宜上回路基板６をホルダ４から切り離した状態を示している。
【００３１】
レンズ２は、撮像する対象物からの光を集光し、イメージセンサ７上に像を結ぶものである。アクチュエータ３は、レンズ２を駆動し光軸方向の位置を移動させることによって、像がイメージセンサ７上に結像するように調節する、フォーカス機構を有している。レンズ２およびアクチュエータ３は、ホルダ４によって保持されている。ホルダ４は、レンズ２およびアクチュエータ３と、イメージセンサ７とが適切な位置関係を維持し得るように、レンズ２およびアクチュエータ３を固定している。接続端子５は、アクチュエータ３の外周部に取り付けられている。
【００３２】
回路基板６は、１枚の基板の両面に回路が形成された構造であってもよく、片面に回路が形成された２枚の基板の回路が形成されていない面同士を組み合わせた多層構造であってもよい。アクチュエータ３は、回路基板６を介して外部と電気信号の送受信を行う。そして、回路基板６のイメージセンサ７が取り付けられた面上には、接続端子５と直接または間接的に電気的に接続する接続部８が設けられている。接続部８は、接続端子５に対応する位置に形成されており、接続部８の表面は金等によってメッキ加工されている。接続部８は、回路基板６の上面部の端子、すなわちカメラモジュール１の内部端子として機能するものである。
【００３３】
ここで、図２を参照して、接続端子５と回路基板６との接続方法について詳細に説明する。図２は、回路基板６の裏面構造を示す斜視図である。図２に示すように、回路基板６の裏面は、カメラモジュール１内部および外部の間における電気信号の送受信を可能にする外部端子９を備えている。外部端子９は、カメラモジュール１内の端子から回路基板６の上面部に伝達された電気信号を、カメラモジュール１外部に出力する。
【００３４】
外部端子９の一部は、カメラモジュール１の内部端子である接続部８に対応しており、接続端子５により出力されるアクチュエータ信号は、接続部８から外部端子９に伝達され、外部端子９からカメラモジュール１外部に出力される。このとき、接続端子５は接続部８に押圧接触しており、接続端子５と接続部８とは電気的に接続されている。
【００３５】
このように、接続端子５は、ホルダ４の内部において、接続部８に接続されるため、接続端子５と回路基板６とを、ホルダ４の内部において電気的に接続することができる。したがって、接続端子５を回路基板６に接続するために、ワイヤ等を用いて接続端子５をホルダ４の外部に引き出す必要がない。その結果、アクチュエータ３のカメラモジュール１への実装が容易になる。また、接続端子５を接続部８に押圧接触させることによって、接続端子５を容易に接続部８に接続させることが可能である。さらに、カメラモジュール１の小型化を実現することができる。
【００３６】
図３および４に示すように、接続端子５は接続部８に押圧接触するために、例えば接続端子５が接続部８を押圧する方向に弾性力を生じさせる弾性構造部１０・１１・１２を備えている。このような接続端子５において、接続端子５自身が弾性を有するように構成されていてもよく、接続端子５の一部に上述したような弾性構造部１０・１１・１２を備えていてもよい。接続端子５が接続部８を押圧する方向に弾性力を生じさせる構成として、例えばばねのような構造を有するものが挙げられる。接続端子５の態様について、図３および４を参照して以下に詳述する。図３および４は、本発明に係る接続端子５の変形例を示す部分斜視図である。
【００３７】
図３に示すように、接続端子５１は、接続部８に接触する部分に近接していない中間部に波状構造部（弾性構造部）１０を有している。さらに接続端子５１は、接続部８に接触する部分に近接する位置、すなわち接続端子５１の先端部に屈曲構造部（弾性構造部）１１を有している。ホルダ４に回路基板６を接着したときに接続端子５１の波状構造部１０および屈曲構造部１１に回路基板６側から力が加わることによって、波状構造部１０および屈曲構造部１１が元の状態に戻ろうとする力が接続部８を押圧する方向に生じる。その結果、接続端子５１が接続部８に押圧接触する。また図４に示すように、接続端子５１は、その先端部、すなわち接続端子５が押圧接触する接続部８に近接する位置に屈曲構造部１２のみを備えていても、所望の弾性力を生じさせることができる。
【００３８】
このように、本発明に係るカメラモジュール１においては、アクチュエータ３と回路基板６とを接続するために、ホルダ４内部においてアクチュエータ３用接続端子５が回路基板６に押圧接触している。これにより、接続端子５をワイヤ等によってホルダ４の外部に引き出す必要がないため、接続端子５による回路基板６に対する接続を容易にし、カメラモジュール１の小型化を実現することができる。
【００３９】
また、アクチュエータ３用信号を入出力する外部端子９を、他の外部端子と同様に回路基板６の裏面に形成することが可能であるため、外部接続するときに、アクチュエータ用の外部端子９のみをはんだ付け等によって実装する必要がない。さらに、アクチュエータ３の外部端子９用のコネクタも他の外部端子のコネクタと同一形状にすることが可能であるため、コネクタの作成が容易になる。
【００４０】
また、コネクタ形状が均一であることによって、外部接続するときに余分な実装面積が不要であるため、実装面積を縮減することができる。さらに、レンズ２およびアクチュエータ３を保持しているホルダ４と回路基板６とを接着するとき、接続端子５が弾性構造を有していることによって、回路基板６上に配置されるセンサと、アクチュエータ３に配置される光学系とのチルトを抑制するという効果も奏する。
【００４１】
上述した実施形態においては、フォーカス機構を有するカメラモジュールを例として説明したが、レンズの焦点を自動調整するオートフォーカス機構、またはズーム機構を有するカメラモジュールにおいても同様の構成とすることが可能である。
【００４２】
〔第２の実施形態〕
本発明の他の実施形態について、図５〜８を参照して以下に説明する。まず、本発明に係るカメラモジュール１の第２の実施形態について図５を参照して以下に説明する。図５は、本発明に係るカメラモジュール１の他の実施形態を示す分解斜視図である。図５に示すように、カメラモジュール１は、上述した実施形態と同様に、レンズ２、アクチュエータ３、ホルダ４、およびアクチュエータ用接続端子５を備えており、イメージセンサ７および接続部８を有する回路基板６がホルダ４に接着している。
【００４３】
本実施形態におけるカメラモジュール１は、アクチュエータ８の接続端子５と、回路基板６の接続部８との間に、導電性を有するシート部材１３を備えている。すなわち、接続端子５と接続部８とはシート部材１３を介して電気的に接続されている。シート部材１３を介することによって、より確実に接続端子５と接続部８とを接続することが可能である。シート部材１３は、導電ゴム、導電シート等により構成されており、導電異方性を有する材料により構成されていることが好ましい。
【００４４】
ここで、図６〜８を参照して導電異方性を有する導電材料からなるシート部材１３の構造を詳述する。図６は、シート部材１３を構成する異方性導電材料の構造を模式的に示した概略図である。図７は、図６に示す異方性導電材料が導電性を示す状態を模式的に示した概略図である。また、図８は、異方性導電材料からなるシート部材１３に、接続端子５が押圧接触したときの状態を模式的に示した概略図である。
【００４５】
異方性導電材料として、異方性導電フィルム（ＡＣＦ）、異方性導電ペースト等が挙げられる。例えば異方性導電フィルムは、熱硬化性樹脂に導電性を有する微細な金属粒子を混ぜ合わせ、膜状に成型することによって製造される。図６に示すように、異方性導電材料においては、○で示される金属粒子等の導電物質が規則的に配置されており、各金属粒子が接触していない状態においては導電性を示さず、絶縁物である。ここで図７に示すように、図６に示す導電材料に上下から圧力を加えることによって、導電材料に含まれる金属粒子が互いに接触し、その結果、図に示す矢印方向に導電性を示すようになる。
【００４６】
このような導電異方性を有する導電材料をシート部材１３として用いることは、非常に狭い隙間における配線において有効である。すなわち、図８に示すように、接続端子５によって、シート部材１３を上部から押圧した場合、押圧された部分のみ上下に導電状態となり、それ以外の部分は電気的に分離している。したがって、このようなシート部材１３を用いることによって、接続端子５と接続部８との電気的な接続を保証し、カメラモジュール１内の他の接続端子と接続部とが誤って接続されてしまうのを防ぐことができる。
【００４７】
このように、導電異方性を有する導電材料をシート部材１３として用いれば、他の接続端子用に用いる導電部材と分割する必要がない。一方、本発明に係るカメラモジュール１において、導電異方性を有さない導電材料をシート部材１３として用いた場合、アクチュエータ用接続端子５のシート部材１３と他の接続端子の導電部材との間を、絶縁部材等によって電気的に分離させて用いる必要がある。また、シート部材１３と導電部材とを物理的に分離させてもよい。
【００４８】
すなわち、本実施形態におけるカメラモジュール１は、導電性を有するシート部材１３を介して接続端子５および接続部８を電気的に接続している。この場合においても、ホルダ４の内部において、接続端子５は接続部８に押圧接触しているため、モジュールサイズ、実装コスト、および実装面積の点において有利であり、さらにシート部材１０の存在によって、接続端子５と接続部８とを確実に接続することが可能である。
【００４９】
〔第３の実施形態〕
本発明のさらに他の実施形態について、図９および図１０を参照して以下に説明する。図９および１０は本発明に係るさらに他の実施形態を示す部分斜視図であり、それぞれ接続端子５がホルダに保持されている状態を示している。本実施形態に係るカメラモジュール１も、上述した実施形態に係るカメラモジュール１と同様に、レンズ２、アクチュエータ３、ホルダ４、およびアクチュエータ用接続端子５を備えており、回路基板６がホルダ４に接着して構成される。
【００５０】
本実施形態において、カメラモジュール１のホルダ４は、アクチュエータ３の外周部に取り付けられた接続端子５の変形を防止する変形防止部１４を有している。図９の領域ＡおよびＢに示すように、変形防止部１４は凸状である。これにより、接続端子５の変形を制限することが可能である。
【００５１】
上述したように、本発明に係るカメラモジュール１においては、接続端子５が回路基板６上の接続部８に押圧接触しているが、このとき接続端子５の先端部が回路基板６まで到達している必要があるこのため、接続端子５はアクチュエータ３に取り付けられた位置から接続部８に達する方向に長辺を有するように設計されている。このように接続端子５が長辺を有していることによって、接続端子５を回路基板６に押圧したとき、接続端子５の一部がくの字状に屈曲するように変形してしまう可能性がある。
【００５２】
このような予期しない部分において接続端子５が屈曲することによって、接続端子５が外部接続用の他の回路と電気的にショートしてしまう等の問題が生じる可能性があり、好ましくない。そこで、本実施形態に係るカメラモジュール１は、凸状の変形防止部１４を備えており、この変形防止部１４により接続端子５を保持することによって、接続端子５の変形を防止する。
【００５３】
また、本発明に係るカメラモジュール１においては、接続端子５が有する弾性力によって接続端子５と回路基板６とを接続させているため、接続端子５に外力が加わったときに、元の状態に戻ろうとする力が予想以上に働き、接続端子５が回路基板６から離れる方向に移動してしまう可能性がある。これを防ぐために、本実施形態において接続端子５は、図１０に示す移動抑制部１５を備えていてもよい。
【００５４】
図１０に示すように、接続端子５の一部をテーパ状にすることによって、移動抑制部１５を設けることができる。このとき、移動抑制部１５に対応する位置のホルダ４には、移動抑制部１５を収容し得るテーパ状の傾斜構造が同様に設けられている。この移動抑制部１５を有していることによって、接続端子５は一定の圧力で回路基板６方向に押圧され、移動が抑制される。これにより、接続端子５と回路基板６とを確実に接続することが可能である。
【００５５】
〔第４の実施形態〕
本発明のさらに他の実施形態について、図１１および１２を参照して以下に説明する。図１１は、本発明に係るカメラモジュール１の他の実施形態を示す分解斜視図であり、図１２は、図１１に示すカメラモジュール１を組み立てた状態を示す斜視図である。図１１および１２に示すように、本発明に係るカメラモジュール１は、上述した各実施形態と同様に、レンズ２、アクチュエータ３、ホルダ４、およびアクチュエータ用接続端子５を備えており、イメージセンサ７および接続部８を有する回路基板６がホルダ４に接着している。
【００５６】
本実施形態におけるカメラモジュール１は、イメージセンサ７上を覆うように回路基板６に嵌め合わされているセンサカバー１２を備えている。イメージセンサ７に対応するセンサカバー１２の中央部分には、外部からの光を透過し得るようにガラスが取り付けられている。そして、センサカバー１２はホルダ４に嵌合するように設計されている。この構成によれば、回路基板６に嵌め合わされているセンサカバー１２をホルダ４に嵌め込むことによって、回路基板６をホルダ４に取り付けるため、カメラモジュール１の組立および取り扱いが容易になる。
【００５７】
また、センサカバー１２には、ホルダ４の接続端子５を保持する部分を当接可能な切り欠き部１７が形成されている。接続端子５は弾性構造を有することによって、その強度に問題が生じる可能性があるが、ホルダ４に接続端子５を保持する部分を設けることによって、接続端子５に機械的ストレスがかかるのを防止している。そして、ホルダ４の構造を、接続端子５を保持し得るように設計することによって、接続端子５と回路基板６との接続が困難になることを防ぐために、センサカバー１２には切り欠き部１７が形成されている。さらに、センサカバー１２に切り欠き部１７が形成されていることによって、センサカバー１２とホルダ４との嵌合方向が容易に特定できるため、カメラモジュール１の組立が容易になるという効果を奏する。
【００５８】
以上のように、本発明に係るカメラモジュール１においては、ホルダ４の内部において、アクチュエータ３用接続端子５が回路基板６の接続部８に押圧接触しているため、接続端子５による回路基板６に対する接続を容易にし、かつカメラモジュール１を小型化することが可能である。また、接続端子５が接続部８を押圧することによって、接続端子５と接続部８とを容易かつ確実に接続することが可能である。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６０】
本発明によれば、レンズを駆動することによって焦点を調整する機構を備えた、小型のカメラモジュールを容易に製造することが可能であるため、これを搭載する携帯電話等の携帯端末等の製造にも適用することができる。
【図面の簡単な説明】
【００６１】
【図１】図１は、本発明に係るカメラモジュールを示す分解斜視図である。
【図２】図２は、本発明に係る回路基板の裏面構造を示す斜視図である。
【図３】図３は、本発明に係る接続端子の構造を示す部分斜視図である。
【図４】図４は、本発明に係る接続端子の構造を示す部分斜視図である。
【図５】図５は、本発明に係るカメラモジュールの他の実施形態を示す分解斜視図である。
【図６】図６は、本発明に係るカメラモジュールの他の実施形態において用いる異方性導電材料の構造を模式的に示した概略図である。
【図７】図７は、図６に示す異方性導電材料が導電性を示す状態を模式的に示した概略図である。
【図８】図８は、本発明に係るカメラモジュールの他の実施形態において、接続端子が異方性導電材料を押圧する状態を模式的に示した概略図である。
【図９】図９は、本発明に係るカメラモジュールの他の実施形態を示す部分斜視図である。
【図１０】図１０は、本発明に係るカメラモジュールの他の実施形態を示す部分斜視図である。
【図１１】図１１は、本発明に係るカメラモジュールの他の実施形態を示す分解斜視図である。
【図１２】図１２は、図１１に示すカメラモジュールを組み立てた状態を示す斜視図である。
【図１３】図１３は、従来のカメラモジュールを示す分解斜視図である。
【符号の説明】
【００６２】
１          カメラモジュール
２          レンズ
３          アクチュエータ（駆動手段）
４          ホルダ
５          接続端子（接続手段）
６          回路基板（基板）
７          イメージセンサ
８          接続部
９          外部端子
１０        波状構造部（弾性構造部）
１１、１２  屈曲構造部（弾性構造部）
１３        シート部材（導電部材）
１４        変形防止部
１５        移動抑制部
１６        センサカバー（嵌合手段）
１７        切り欠き部
【図１】
2009008865.tif 000003
【図２】
2009008865.tif 000004
【図３】
2009008865.tif 000005
【図４】
2009008865.tif 000006
【図５】
2009008865.tif 000007
【図６】
2009008865.tif 000008
【図７】
2009008865.tif 000009
【図８】
2009008865.tif 000010
【図９】
2009008865.tif 000011
【図１０】
2009008865.tif 000012
【図１１】
2009008865.tif 000013
【図１２】
2009008865.tif 000014
【図１３】
2009008865.tif 000015